(57)【要約】【課題】階層構造の情報を表示する場合に操作の手数を削減して操作性を向上させることのできる表示システムを提供する。【解決手段】本発明の表示システム１は、複数の表示装置２Ａ、２Ｂを備えた表示システムであって、複数の表示装置２Ａ、２Ｂに階層構造の情報を表示する場合に、複数の表示装置２Ａ、２Ｂにそれぞれ異なる階層を表示することを特徴とする。【選択図】図１
2012252071.tif 000002
【特許請求の範囲】
【請求項１】
複数の表示装置を備えた表示システムであって、
前記複数の表示装置に階層構造の情報を表示する場合に、前記複数の表示装置にそれぞれ異なる階層を表示することを特徴とする表示システム。
【請求項２】
前記複数の表示装置の一つに表示されている階層の次の階層を、別の表示装置に表示することを特徴とする請求項１に記載の表示システム。
【請求項３】
前記表示装置に表示される特定の表示画面に対して、別の表示画面を次の階層として設定しておくことを特徴とする請求項１または請求項２に記載の表示システム。
【請求項４】
前記別の表示画面は、前記特定の表示画面の補助情報を表示するための表示画面であることを特徴とする請求項３に記載の表示システム。
【請求項５】
前記別の表示画面は、前記特定の表示画面と設定状態が異なる表示画面であることを特徴とする請求項３に記載の表示システム。
【請求項６】
前記別の表示画面は、割り込み情報の表示画面であることを特徴とする請求項３に記載の表示システム。
【発明の詳細な説明】
【技術分野】
【０００１】
本発明は、複数の表示装置を備えた表示システムに関する。
【背景技術】
【０００２】
近年では車両にカーナビゲーションシステムやオーディオ装置などのさまざまな車載機器が搭載されるようになり、それらの車載機器を操作するために表示装置が搭載されている。従来の表示システムでは、階層構造の情報から目的の情報を探そうとすると、例えばオーディオの選曲では、まずアーティストを選んでからアルバムを選んで、最後に曲を確認するという操作を行う必要があった。
【０００３】
このような従来の表示システムの一例としては、特許文献１及び特許文献２が開示されている。
【先行技術文献】
【特許文献】
【０００４】
【特許文献１】特開平８−３３５０６６号公報
【特許文献２】特開２００７−１５３１９４号公報
【発明の概要】
【発明が解決しようとする課題】
【０００５】
しかしながら、上述した特許文献１及び特許文献２に開示された従来の表示システムでは、アルバムを選んで曲の選択画面に移行したときに目的の曲がなければ、再びアルバムの選択画面へ戻らなければならなかった。したがって、ユーザーがどのアルバムに目的の曲が収録されているのか分からない場合には、アルバムの選択画面と曲の選択画面との間を繰り返し行ったり来たり往復しなければならないので、操作の手数が増大して操作性が低下してしまうという問題点があった。
【０００６】
また、カーナビゲーションシステムにおいて常時表示しているスケールから一時的に拡大縮小した場合やＨｅｌｐ機能等の補足説明の画面に遷移した場合、ＶＩＣＳ情報や交差点拡大図等の割り込み情報を表示した場合にも、操作を継続するためには、元の画面に戻る操作を行う必要があり、同様に操作の手数が増大して操作性が低下していた。
【０００７】
そこで、本発明は、上述した実情に鑑みて提案されたものであり、階層構造の情報を表示する場合に操作の手数を削減して操作性を向上させることのできる表示システムを提供することを目的とする。
【課題を解決するための手段】
【０００８】
本発明に係る表示システムは、複数の表示装置を備えた表示システムであって、複数の表示装置に階層構造の情報を表示する場合に、複数の表示装置にそれぞれ異なる階層を表示することを特徴としている。
【発明の効果】
【０００９】
本発明に係る表示システムによれば、階層構造の情報を表示する場合に複数の表示装置にそれぞれ異なる階層を表示するので、操作の手数を削減して操作性を向上させることができる。
【図面の簡単な説明】
【００１０】
【図１】本発明を適用した第１実施形態に係る表示システムの構成を示すブロック図である。
【図２】本発明を適用した第１実施形態に係る表示システムの表示装置の配置を説明するための図である。
【図３】本発明を適用した第１実施形態に係る表示システムにおける表示制御処理の手順を示すフローチャートである。
【図４】本発明を適用した第１実施形態に係る表示システムにおける表示画面の一例を示す図である。
【図５】本発明を適用した第１実施形態に係る表示システムにおける表示画面の一例を示す図である。
【図６】本発明を適用した第１実施形態に係る表示システムにおける表示画面の一例を示す図である。
【図７】本発明を適用した第２実施形態に係る表示システムにおける表示制御処理の手順を示すフローチャートである。
【図８】本発明を適用した第２実施形態に係る表示システムにおける表示画面の一例を示す図である。
【図９】本発明を適用した第３実施形態に係る表示システムにおける表示制御処理の手順を示すフローチャートである。
【図１０】本発明を適用した第３実施形態に係る表示システムにおける表示画面の一例を示す図である。
【図１１】本発明を適用した第３実施形態に係る表示システムにおける表示画面の一例を示す図である。
【図１２】本発明を適用した第４実施形態に係る表示システムにおける表示制御処理の手順を示すフローチャートである。
【図１３】本発明を適用した第４実施形態に係る表示システムにおける表示画面の一例を示す図である。
【図１４】本発明を適用した第４実施形態に係る表示システムにおける表示画面の一例を示す図である。
【発明を実施するための形態】
【００１１】
以下、本発明を適用した第１〜第４実施形態について図面を参照して説明する。
【００１２】
［第１実施形態］
［表示システムの構成］
図１は本実施形態に係る表示システムの構成を示すブロック図である。
【００１３】
図１に示すように、本実施形態に係る表示システム１は、タッチパネルを有する表示装置２Ａ、２Ｂと、表示装置２Ａ、２Ｂに表示される表示画面の制御を行う制御部３と、表示装置２Ａ、２Ｂ上での表示を制御するための情報やカーナビゲーションシステムで使用される情報を記憶した記憶部４とを備えている。尚、本実施形態に係る表示システム１は単独のシステムとして構成してもよいが、カーナビゲーションシステムに組み込まれて、カーナビゲーションシステムの表示を制御するためのシステムとして機能させてもよい。
【００１４】
ここで、表示装置２Ａ、２Ｂは、タッチパネルを装備した通常の表示装置であって、タッチパネルへの接触を検出するタッチパネル入力部２１Ａ、２１Ｂと、表示画面に画像を表示する画像表示部２２Ａ、２２Ｂと、表示画面に画像を表示するための制御を行う画面制御部２３Ａ、２３Ｂとを備えている。本実施形態では、図２に示すように表示装置２Ａ、２Ｂが車室内に上下に配置されている場合を一例として説明するが、配置の仕方は自由に変更することができる。また、表示装置の数は２つである必要はなく、３つ以上であってもよい。
【００１５】
制御部３は、マイクロコンピュータ等から構成され、表示装置２Ａ、２Ｂに対して通常の表示制御を行うとともに、以下で説明する表示制御処理を実行する
記憶部４は、表示装置２Ａ、２Ｂへの表示を制御するための情報を記憶したメモリ４１の他にカーナビゲーションシステムにおける表示で使用される地図データベース４２、施設データベース４３を備えている。
【００１６】
［表示制御処理の手順］
次に、本実施形態に係る表示システム１による表示制御処理の手順を図３のフローチャートを参照して説明する。
【００１７】
図３に示すように、まずステップＳ１０１において、制御部３は第１階層の画像を表示する。表示装置２Ａ、２Ｂのいずれに表示してもよいが、ここでは表示装置２Ａに第１階層の画像を表示する場合について説明する。第１階層の画像としては、例えばオーディオ機能でユーザーが目的の曲を探す場合には、アーティストの選択画面を表示する。
【００１８】
次に、制御部３は、ステップＳ１０２においてタッチパネル上に表示されている第１階層の画像の中にあるボタンが押下されて次の階層へ進むか否かを判定する。ボタンが押下されずに次の階層へ進む必要がない場合には、ステップＳ１０１に戻って第１階層の画像を継続して表示し、ボタンが押下されて次の階層へ進む場合にはステップＳ１０３へ移行する。
【００１９】
ステップＳ１０３では、制御部３が、第１階層の画像を表示している表示装置とは別の表示装置への切り替えを行い、ステップＳ１０４において次の階層である第２階層の画像を、第１階層の画像を表示している表示装置とは別の表示装置２Ｂに表示する。ここで、第２階層の画像としては、例えば第１階層の画像で特定のアーティストが選択されると、そのアーティストのアルバムを選択する画面が表示される。
【００２０】
そして、制御部３はステップＳ１０５においてタッチパネル上に表示されている第２階層の画像の中にあるボタンが押下されて次の階層へ進むか否かを判定する。ボタンが押下されずに次の階層へ進む必要がない場合には、ステップＳ１０６へ移行して現在の階層の画像を継続して表示する。そして、ステップＳ１０７へ移行して、制御部３は表示を終了するか否かを判定し、表示を終了しない場合にはステップＳ１０５へ戻る。
【００２１】
一方、ステップＳ１０５において制御部３が第２階層の画像の中にあるボタンが押下されて次の階層へ進むと判定した場合には、再びステップＳ１０３へ戻って表示装置の切り替えを行う。ここでは、第２階層の画像が表示装置２Ｂに表示されているので、表示装置２Ａに切り替えられる。そして、ステップＳ１０４において第３階層の画像が表示装置２Ａに表示される。第３階層の画像としては、例えば第２階層の画像で特定のアルバムが選択されると、そのアルバムに収録されている曲を選択する画面が表示される。
【００２２】
この後、さらに階層が多い場合にはステップＳ１０３からＳ１０７までの処理を繰り返し行うことによって、表示装置２Ａ、２Ｂにそれぞれ異なる階層の画像を表示することができる。そして、ステップＳ１０７において表示を終了すると判定されると、本実施形態に係る表示システム１による表示制御処理は終了する。
【００２３】
［第１実施形態の効果］
以上詳細に説明したように、本実施形態に係る表示システム１によれば、階層構造の情報を表示する場合に複数の表示装置にそれぞれ異なる階層を表示するので、操作の手数を削減して操作性を向上させることができる。
【００２４】
また、本実施形態に係る表示システム１によれば、現在表示されている階層の次の階層を、別の表示装置に表示するので、連続する階層の画像を同時に表示させることができ、ユーザーの視認性を向上させることができる。
【００２５】
例えば、図４に示すオーディオ選曲の場合について説明すると、図４（ａ）では表示装置２Ｂの表示画面でアルバム「ＡＡＡ」が選択されており、表示装置２Ａの表示画面にはアルバム「ＡＡＡ」の中に収録されている曲が表示されている。このとき、図４（ｂ）に示すようにユーザーが表示装置２Ｂの表示画面でアルバム「ＤＤＤ」を選択すると、表示装置２Ａの表示画面にはアルバム「ＤＤＤ」に収録されている曲が表示される。
【００２６】
従来では、アルバム選択画面からアルバム「ＡＡＡ」の収録曲のリスト画面へ移動した後に、再びアルバム選択画面に戻ってアルバム「ＤＤＤ」を選択してアルバム「ＤＤＤ」の収録曲のリスト画面へ移動しなければならなかった。しかしながら、本実施形態に係る表示システム１では、アルバム選択画面に戻る操作を行うことなく、別のアルバムの収録曲を別の表示装置に表示することができるので、ユーザーによる操作の手数を削減して操作性を向上させることができる。
【００２７】
さらに、カーナビゲーションシステムの場合でも図５に示すように操作の手数を削減して操作性を向上させることができる。図５（ａ）では表示装置２Ｂの表示画面に施設ジャンルのリストが表示され、表示装置２Ａの表示画面には次の階層であるガソリンスタンドのリストを表示している。このとき、図５（ｂ）に示すようにユーザーが表示装置２Ｂの表示画面で「ファミリーレストラン」を選択すると、表示装置２Ａの表示画面はファミリーレストランのリストを表示した画面に切り替わる。また、図６では、目的地をキー入力する場合を示しており、表示装置２Ａの表示画面で文字を入力するボックスが選択されると、表示装置２Ｂの表示画面に文字を入力するためのキー入力画面が表示される。したがって、ユーザーは表示装置２Ａでボックスを選択して表示装置２Ｂでキー入力を行っていけば、画面を切り替えることなく複数のボックスにキー入力を行うことができる。
【００２８】
［第２実施形態］
次に、本発明を適用した第２実施形態に係る表示システムを説明する。ただし、本実施形態に係る表示システムの構成は、第１実施形態と同一なので説明は省略する。
【００２９】
本実施形態に係る表示システムでは、表示装置２Ａ、２Ｂに表示される特定の表示画面に対して、別の表示画面が次の階層として予め設定されていることを特徴としている。例えば、本実施形態では、補助情報を表示するための表示画面を次の階層として予め設定している。
【００３０】
［表示制御処理の手順］
次に、本実施形態に係る表示システムによる表示制御処理の手順を図７のフローチャートを参照して説明する。
【００３１】
図７に示すように、まずステップＳ２０１において、制御部３は通常の表示処理を行ってカーナビゲーションシステム等の表示を表示装置２Ａ、２Ｂのいずれかに表示している。そして、通常の表示処理を行いながら、制御部３はステップＳ２０２において予め設定された特定の表示画面が表示されたか否かを監視している。ここで、現在の表示画面が特定の表示画面でない場合にはステップＳ２０１に戻って通常の表示処理を継続し、特定の表示画面である場合にはステップＳ２０３へ移行する。
【００３２】
ステップＳ２０３では、特定の表示画面に表示されている補助情報を表示するためのボタンがユーザーによって押下されたか否かを、制御部３が監視し、押下されない場合には継続して監視する。そして、補助情報を表示するためのボタンが押下されると、ステップＳ２０４に移行して制御部３は表示装置の切り替えを行い、ステップＳ２０５では切り替えられた別の表示装置に、次の階層として予め設定されている補助情報の表示画面を表示する。例えば、図８（ａ）に示すように、特定の表示画面Ｍが表示装置２Ｂに表示されている場合に、「Ｈｅｌｐ１」ボタンが押下されると、制御部３は表示装置の切り替えを行って表示装置２Ａに「Ｈｅｌｐ１」の表示画面を表示する。さらに、特定の表示画面Ｍに表示されている「Ｈｅｌｐ２」ボタンが押下されると、図８（ｂ）に示すように制御部３は表示装置の切り替えを行って表示装置２Ａに「Ｈｅｌｐ２」の表示画面を表示する。
【００３３】
このようにして補助情報の表示画面が別の表示装置に表示されると、本実施形態に係る表示システムによる表示制御処理は終了する。
【００３４】
［第２実施形態の効果］
以上詳細に説明したように、本実施形態に係る表示システムによれば、特定の表示画面に対して別の表示画面を次の階層として設定しておくので、次の階層の表示画面を別の表示装置に表示することができ、特定の表示画面と別の表示画面を同時に表示してユーザーの視認性を向上させることができる。さらに、特定の表示画面と別の表示画面との間を行き来する必要がないので、操作性を向上させることもできる。
【００３５】
また、本実施形態に係る表示システムによれば、補助情報を表示するための表示画面を次の階層として設定しておくので、ユーザーはＨｅｌｐ機能などの補助情報を現在の表示画面と同時に見ることができ、これによって視認性を向上させることができる。さらに、現在の表示画面と補助情報の表示画面との間を行き来する必要がないので、操作性を向上させることもできる。
【００３６】
［第３実施形態］
次に、本発明を適用した第３実施形態に係る表示システムを説明する。ただし、本実施形態に係る表示システムの構成は、第１実施形態と同一なので説明は省略する。
【００３７】
本実施形態に係る表示システムでは、第２実施形態と同様に特定の表示画面に対して、別の表示画面を次の階層として予め設定しておくことを特徴としており、本実施形態では特定の表示画面と設定状態が異なる表示画面を次の階層として設定している。
【００３８】
［表示制御処理の手順］
次に、本実施形態に係る表示システムによる表示制御処理の手順を図９のフローチャートを参照して説明する。
【００３９】
図９に示すように、まずステップＳ３０１において、制御部３は通常の表示処理を行ってカーナビゲーションシステム等の表示を表示装置２Ａ、２Ｂのいずれかに表示している。そして、通常の表示処理を行いながら、制御部３はステップＳ３０２において予め設定された特定の表示画面が表示されたか否かを監視している。ここで、現在の表示画面が特定の表示画面でない場合にはステップＳ３０１に戻って通常の表示処理を継続し、特定の表示画面である場合にはステップＳ３０３へ移行する。
【００４０】
ステップＳ３０３では制御部３が表示装置の切り替えを行い、ステップＳ３０４において切り替えられた別の表示装置に、次の階層として予め設定されている異なる設定状態の表示画面を表示する。例えば、図１０に示すように、特定の表示画面として拡大された地図が表示装置２Ａに表示されると、制御部３は表示装置の切り替えを行って表示装置２Ｂに異なる設定状態である縮小された地図を表示する。また、別の例としては、図１１に示すように特定の表示画面として現在地の地図が表示装置２Ａに表示されると、異なる設定状態としてスクロール時の地図（例えば目的地の地図）を表示装置２Ｂに表示する。
【００４１】
このようにして異なる設定状態の表示画面を別の表示装置に表示すると、本実施形態に係る表示システムによる表示制御処理は終了する。
【００４２】
［第３実施形態の効果］
以上詳細に説明したように、本実施形態に係る表示システムによれば、設定状態が異なる表示画面を次の階層として設定しておくので、ユーザーは異なる設定状態の表示画面を同時に見ることができ、これによって視認性を向上させることができる。
【００４３】
［第４実施形態］
次に、本発明を適用した第４実施形態に係る表示システムを説明する。ただし、本実施形態に係る表示システムの構成は、第１実施形態と同一なので説明は省略する。
【００４４】
本実施形態に係る表示システムでは、第２実施形態と同様に特定の表示画面に対して、別の表示画面を次の階層として予め設定しておくことを特徴としており、本実施形態では割り込み情報の表示画面を次の階層として設定している。
【００４５】
［表示制御処理の手順］
次に、本実施形態に係る表示システムによる表示制御処理の手順を図１２のフローチャートを参照して説明する。ただし、ステップＳ４０１からステップＳ４０３までの処理は図９に示す第３実施形態の表示制御処理と同一なので、詳しい説明は省略する。
【００４６】
図１２に示すように、ステップＳ４０３において制御部３が表示装置の切り替えを行うと、ステップＳ４０４では切り替えられた別の表示装置に、次の階層として予め設定されている割り込み情報の表示画面を表示する。例えば、図１３に示すように、特定の表示画面として表示装置２Ａに通常の地図が表示されている場合にＶＩＣＳの割り込み情報が入力されると、制御部３は表示装置の切り替えを行って表示装置２ＢにＶＩＣＳの割り込み情報を表示する。また、別の例としては、図１４に示すように特定の表示画面として表示装置２Ａに通常の地図が表示されている場合に交差点を通過すると、制御部３は交差点の拡大図（図１４ではアンダーパス等がある場合）を表示装置２Ｂに表示する。
【００４７】
このようにして割り込み情報の表示画面を別の表示装置に表示すると、本実施形態に係る表示システムによる表示制御処理は終了する。
【００４８】
［第４実施形態の効果］
以上詳細に説明したように、本実施形態に係る表示システムによれば、割り込み情報の表示画面を次の階層として設定しておくので、ユーザーは現在の表示画面と割り込み情報の表示画面を同時に見ることができ、これによって視認性を向上させることができる。
【００４９】
なお、上述の実施形態は本発明の一例である。このため、本発明は、上述の実施形態に限定されることはなく、この実施形態以外の形態であっても、本発明に係る技術的思想を逸脱しない範囲であれば、設計などに応じて種々の変更が可能であることは勿論である。
【符号の説明】
【００５０】
１  表示システム
２Ａ、２Ｂ  表示装置
３  制御部
４  記憶部
２１Ａ、２１Ｂ  タッチパネル入力部
２２Ａ、２２Ｂ  画像表示部
２３Ａ、２３Ｂ  画面制御部
４１  メモリ
４２  地図データベース
４３  施設データベース
【図１】
2012252071.tif 000003
【図２】
2012252071.tif 000004
【図３】
2012252071.tif 000005
【図４】
2012252071.tif 000006
【図５】
2012252071.tif 000007
【図６】
2012252071.tif 000008
【図７】
2012252071.tif 000009
【図８】
2012252071.tif 000010
【図９】
2012252071.tif 000011
【図１０】
2012252071.tif 000012
【図１１】
2012252071.tif 000013
【図１２】
2012252071.tif 000014
【図１３】
2012252071.tif 000015
【図１４】
2012252071.tif 000016